(57)【要約】【課題】環境に対する有害性がなく、経時侵入空気による収納物の膨張を抑制し、長期間にわたって安定な圧縮保存を可能とする圧縮収納袋を提供する。【解決手段】収納物の出し入れ口となる開口部１３と空気吸引口１４とを有し合成樹脂を主素材とした袋で吸引口１４から袋内部の空気を吸引することにより収納物を圧縮保存する圧縮収納袋１２であって、圧縮収納袋１２内部と連通可能な空間内に、銅交換したＺＳＭ−５型ゼオライトを含む気体吸着デバイス５を備える。銅交換したＺＳＭ−５型ゼオライトが使用時まで劣化することなく保管可能な気体吸着デバイス化されることにより、窒素、酸素、水分、二酸化炭素などの空気中に存在する気体に対する吸着能力を発揮し、経時的に内部へ侵入する空気を吸着除去し、減圧状態に保つことが可能であり、侵入空気に起因する収納物の膨張を抑制し収納物を長期間にわたって低体積で収納することが可能となる。【選択図】図５
2010095279.tif 000002
【特許請求の範囲】
【請求項１】
収納物の出し入れ口となる開口部と、空気吸引口とを有し、合成樹脂を主素材とした袋で、前記吸引口から袋内部の空気を吸引することにより収納物を圧縮保存する圧縮収納袋であって、前記圧縮収納袋内部と連通可能な空間内に、少なくとも銅交換したＺＳＭ−５型ゼオライトを含む気体吸着デバイスを備えることを特徴とする圧縮収納袋。
【請求項２】
気体吸着デバイスが、少なくとも銅交換したＺＳＭ−５型ゼオライトと、水分吸着材と、気体難透過性素材からなる容器とからなり、前記容器は通気性を制御可能な仕切りにより少なくとも２つ以上の空間に仕切られており、前記銅交換したＺＳＭ−５型ゼオライトと前記水分吸着材はそれぞれ前記容器の異なる空間に収容されている請求項１に記載の圧縮収納袋。
【請求項３】
仕切りが連続多孔体である請求項２に記載の圧縮収納袋。
【請求項４】
銅交換したＺＳＭ−５型ゼオライトと水分吸着材が収容されている空間と、圧縮収納袋内部空間とが、外部応力により通気可能となる機構を備えた請求項２または請求項３に記載の圧縮収納袋。
【請求項５】
収納物を開口部を通して圧縮収納袋に収納する収納ステップと、前記開口部を封鎖する開口部封鎖ステップと、空気吸引口から前記圧縮収納袋内部の空気を吸引する吸引ステップと、空気吸引口を閉じ減圧保存する吸引口封鎖ステップと、経時的に圧縮収納袋を透過して侵入した空気を請求項１から４のいずれか一項記載の気体吸着デバイスが吸着固定化し、再び減圧保存を持続させる吸着ステップとを含む圧縮収納袋の使用方法。
【発明の詳細な説明】
【技術分野】
【０００１】
本発明は、圧縮収納袋に関するものであり、特に、収納袋内の空気を吸引排気して減圧し、収納物を保存する、特にふとんや衣類圧縮保存袋として使用できる圧縮保存袋およびその使用方法に関するものである。
【背景技術】
【０００２】
圧縮収納袋に関しては、合成樹脂製の袋にふとんや衣類などのかさばる収納物を入れ、開口部を封鎖した後、空気吸引口から袋内の空気を吸引除去し、最後に空気吸引口を封鎖する手順により、コンパクトにこれらの収納物を保存できるため、一般家庭においても簡便な掃除機による吸引などを利用し、汎用に用いられている。
【０００３】
しかしながら、開口部や吸引口から経時的に侵入する空気によって、徐々に収納物が膨張するという課題があった。
【０００４】
特に図示はしないが、開口部や吸引口の封鎖にアイロンを用いた合成樹脂の熱溶着が適用されており、この手法によると溶着箇所からの空気の侵入は抑制されるが、アイロンの手間が掛かるなどの課題があった。また、開口部や吸引口を熱溶着する際、少しでもしわなどが生じると均一な溶着ができず、短期間で袋内部に空気が入り込んで収納物が大きく膨張するという課題があった。
【０００５】
そこで、開口部をＵ字形のクリップバーとクリップバーのＵ字形部に圧入の丸棒形のクリップバーで閉塞する技術や、密封性に優れたファスナーを用いる技術が提案された（例えば、特許文献１参照）。
【０００６】
これに対して、開口部のファスナー部材を２列状態に設ける技術や空気の侵入を抑制するファスナー形状が提案されている（例えば、特許文献２参照）。
【０００７】
また、吸引口からの空気侵入を抑制する手段として、開口部側から順次仮封止部および本封止部を設け、本封止部と仮封止部との間に吸引口を設ける構成とし、収納物を袋に入れ仮封止部を封鎖した後、吸引口から袋内の空気を吸引し、その後本封止部を封鎖することにより、吸引口からの空気侵入の影響を抑制する技術が提案されている（例えば、特許文献３参照）。
【０００８】
また、開口部や吸引口だけではなく、経時的に袋材を透過して侵入する空気もあるが、これに対しては、袋材としてアルミ蒸着層を設けたラミネートフィルムを用いることにより抑制する技術が開示されている（例えば、特許文献４参照）。
【特許文献１】特開平７−２４６６７０号公報
【特許文献２】実開平６−１０１４８号公報
【特許文献３】特開平４−２４２５４４号公報
【特許文献４】実開平４−４１８９０号公報
【発明の開示】
【発明が解決しようとする課題】
【０００９】
しかしながら、上記従来の物では、やはり開口部や吸引口からの侵入空気、および、袋材からの透過侵入空気を遮断することはできていなかった。
【００１０】
特許文献１および特許文献２に関して、クリップバーやファスナーを用いた場合、クリップバーやファスナー部材においてもすり合わせ部が完全に密着されておらず、２例状態に設けても、形状を複雑化しても、外圧との圧力差による空気侵入の問題は完全には解決されておらず、やはり開口部からの経時的な空気侵入は免れなかった。
【００１１】
特許文献３に関しても、同様である。
【００１２】
特許文献４に関しては、アルミ蒸着層を設けることで、袋材を透過侵入する空気の抑制に一定の効果は得られるものの、しかしながら、アルミ蒸着層を設けたフィルムでは、内容収納物が外観から確認し難いという欠点があった。
【００１３】
本発明の目的は、環境に対する有害性がなく、圧縮収納袋における経時侵入空気による収納物の膨張を抑制し、長期間にわたって安定な圧縮保存を可能とする圧縮収納袋および圧縮収納袋の使用方法を提供することである。
【課題を解決するための手段】
【００１４】
上記目的を達成するために、本発明の圧縮収納袋は、収納物の出し入れ口となる開口部と、空気吸引口とを有し、合成樹脂を主素材とした袋で、前記吸引口から袋内部の空気を吸引することにより収納物を圧縮保存する圧縮収納袋であって、前記圧縮収納袋内部と連通可能な空間内に、少なくとも銅交換したＺＳＭ−５型ゼオライトを含む気体吸着デバイスを備えるのである。
【００１５】
また、本発明の圧縮収納袋の使用方法は、収納物を開口部を通して圧縮収納袋に収納する収納ステップと、前記開口部を封鎖する開口部封鎖ステップと、空気吸引口から前記圧縮収納袋内部の空気を吸引する吸引ステップと、空気吸引口を閉じ減圧保存する吸引口封鎖ステップと、経時的に圧縮収納袋を透過して侵入した空気を先の発明における気体吸着デバイスが吸着固定化し、再び減圧保存を持続させる吸着ステップとを含むのである。
【００１６】
上記構成において、銅イオン交換したＺＳＭ−５型ゼオライトが、使用時まで劣化することなく保管可能な気体吸着デバイス化されることにより、窒素、酸素、水分、二酸化炭素などの空気中に存在する気体に対する吸着能力を発揮し、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋内の酸素濃度を低減させることができるため、ダニなど微少生物の繁殖を抑制することも可能である。
【００１７】
したがって、環境に対する有害性がなく、圧縮収納袋における経時侵入空気による収納物の膨張を抑制し、長期間にわたって安定な圧縮保存を可能とする圧縮収納袋および圧縮収納袋の使用方法を提供できる。
【発明の効果】
【００１８】
本発明によれば、銅イオン交換したＺＳＭ−５型ゼオライトが、使用時まで劣化することなく保管可能な気体吸着デバイス化されることにより、窒素、酸素、水分、二酸化炭素などの空気中に存在する気体に対する吸着能力を発揮し、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋内の酸素濃度を低減させることができるため、ダニなど微少生物の繁殖を抑制することも可能である。
【００１９】
また、気体吸着デバイスが、少なくとも銅交換したＺＳＭ−５型ゼオライトと、水分吸着材と、気体難透過性素材からなる容器とから構成されている場合は、銅交換したＺＳＭ−５型ゼオライトが水分により劣化せず、より多くの気体を吸着することができるため、収納物の膨張を長期にわたって抑制することが可能である。
【発明を実施するための最良の形態】
【００２０】
本発明の請求項１に記載の圧縮収納袋の発明は、収納物の出し入れ口となる開口部と、空気吸引口とを有し、合成樹脂を主素材とした袋で、前記吸引口から袋内部の空気を吸引することにより収納物を圧縮保存する圧縮収納袋であって、前記圧縮収納袋内部と連通可能な空間内に、少なくとも銅交換したＺＳＭ−５型ゼオライトを含む気体吸着デバイスを備えることを特徴とするものである。
【００２１】
上記構成において、銅イオン交換したＺＳＭ−５型ゼオライトは、空気中に最も多く含まれる気体である窒素に対する活性活性が高いことで知られており、おそらくは、細孔径と窒素の分子径の相対関係に起因する形状選択性、および、その三次元構造の特異性によると考える。
【００２２】
さらに、空気中に存在する窒素以外の気体種、すなわち、酸素、水分、二酸化炭素、水素などへの吸着活性をも有しており、銅イオン交換したＺＳＭ−５型ゼオライトを圧縮収納袋内の気体吸着材として含むことにより、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋内の酸素濃度をも低減させることができるため、ダニなど微少生物の繁殖を抑制することも可能である。
【００２３】
銅イオン交換したＺＳＭ−５型ゼオライトの作製は、市販されているＺＳＭ−５型ゼオライトの銅イオン交換と、水洗と、乾燥、熱処理のプロセスを経て行う。
【００２４】
銅イオン交換は、既知の方法にて行うことが出来るが、塩化銅水溶液やアンミン酸銅水溶液など銅の可溶性塩の水溶液に浸漬する方法が一般的であり、中でもプロピオン酸銅（II）や酢酸銅（II）などカルボキシラトを含むＣｕ2+溶液を用いた方法で調整されたものは、窒素吸着活性が高い。
【００２５】
水洗は、イオン交換後に十分に行う。
【００２６】
次いで、加熱乾燥または減圧下乾燥を行い、表面付着水を除去する。
【００２７】
その後、低圧下にて適切な熱処理を行う。これは、イオン交換により導入されたＣｕ2+をＣｕ+へと還元し、気体吸着能を発現させるために必要である。熱処理時の圧力は、１０ｍＰａ以下、好ましくは１ｍＰａ以下であり、温度はＣｕ+への還元を進行させるため、３００℃以上、好ましくは５００℃〜６００℃程度である。
【００２８】
以上のプロセスを経て、気体吸着活性を付与された銅イオン交換ＺＳＭ−５型ゼオライトは、窒素、酸素、水分、一酸化炭素、二酸化炭素、水素などの気体吸着活性を有する。
【００２９】
一方で、気体吸着活性を有する銅イオン交換ＺＳＭ−５型ゼオライトは、大気中で取り扱うと、大気成分を吸着してしまい失活する。よって、熱処理により活性化した後は、通常、高真空下あるいは不活性ガス中で取り扱う必要がある。
【００３０】
そのため、大気接触による失活や、圧縮収納袋へ適用した後の十分な吸着活性の発現を考慮し、空気に直接触れず、任意で通気性を発現するような気体吸着デバイスに封入することが必要である。
【００３１】
ここで、本発明における気体吸着デバイスとは、少なくとも、銅イオン交換したＺＳＭ−５型ゼオライトと、銅イオン交換したＺＳＭ−５型ゼオライトを使用時まで周囲の空間と隔絶し保管する容器と、気体吸着時には前記容器の内外を連通することにより気体の吸着を可能にする機構の総称である。
【００３２】
また、銅イオン交換ＺＳＭ−５型ゼオライトにペレット化、成形などを施しても良い。
【００３３】
銅イオン交換ＺＳＭ−５型ゼオライトにおいては、銅がまずＣｕ2+としてイオン交換される。次いで、低圧下にて適切な熱処理を行うことによりＣｕ2+はＣｕ+へ還元され、気体吸着活性を発揮するものである。
【００３４】
よって、ＺＳＭ−５型ゼオライトのシリカ対アルミナ比に関しては、シリカ対アルミナ比が低い場合、すなわち−１価のアルミニウムが多数存在する場合、銅はＣｕ2+の方が安定となり、熱処理によってＣｕ+へ還元されるサイトが低減するため、窒素吸着活性もまた低減する。
【００３５】
一方、シリカ対アルミナ比が大きい場合、すなわち−１価のアルミニウムが少ない場合、イオン交換により導入される銅が少なく、よってＣｕ+サイトが少なくなるため、これもまた窒素吸着活性が低減する。よって、窒素吸着活性を発現するためには、シリカ対アルミナ比が適正な範囲であることが望ましく、本発明においては、８以上２５以下の範囲が適当であると判断する。
【００３６】
また、銅イオン交換ＺＳＭ−５型ゼオライトは有害性情報がなく、環境負荷も低いと考えられる。
【００３７】
また、開口部は、特に指定するものではないが、ふとんなどの大型収納物を出し入れ可能な開口部であれば良い。収納物を収納した後の封鎖方法は、アイロンによる溶着、クリップバーによる挟み込み、雄型部材と雌型部材との圧入方式を用いたファスナー部材による封鎖など特に指定するものではないが、前記ファスナー部材が簡便である。いずれの方法を用いた場合でも経時的に空気は侵入するが、気体吸着デバイスにより吸着除去できるため問題ではない。
【００３８】
吸引口は、特に指定するものではないが、一般家庭における掃除機を用いた吸引に適した大きさの吸引口が望ましく、吸引後は開口部と同様に封鎖可能なファスナー部材などが必要である。また、より簡易に低コストで製造するには、開口部の一部が吸引口となる構成であっても良い。
【００３９】
吸引方法は、特に指定するものではない。電気掃除機や、ポンプを用いた吸引などが利用できる。
【００４０】
合成樹脂とは、特に指定するものではないが、ナイロンやポリエチレン、ポリプロピレン、ポリエチレンテレフタレートなど汎用の合成樹脂を用いることができる。
【００４１】
圧縮収納袋内部と連通可能な空間とは、圧縮収納袋内部そのものであっても良く、圧縮収納袋内部に気体吸着デバイスを収納するポケットがあっても良い。また別途圧縮収納袋と連通する小袋が繋ぎ合わされていても、圧縮収納袋内部の空気を気体吸着デバイスが吸着できるよう連通化されていればよい。
【００４２】
また、請求項２に記載の圧縮収納袋の発明は、請求項１に記載の発明において、気体吸着デバイスが、少なくとも銅交換したＺＳＭ−５型ゼオライトと、水分吸着材と、気体難透過性素材からなる容器とからなり、前記容器は通気性を制御可能な仕切りにより少なくとも２つ以上の空間に仕切られており、前記銅交換したＺＳＭ−５型ゼオライトと前記水分吸着材はそれぞれ前記容器の異なる空間に収容されているものである。
【００４３】
上記構成において、圧縮収納袋に侵入した空気を吸着する場合、空気中には窒素、酸素などとともに水分が含まれている。銅交換したＺＳＭ−５型ゼオライトは、水分に対しても非常に活性が高く、吸着ガス中に水が含まれている場合は水を優先的に吸着してしまい、水を吸着した吸着活性点は窒素や酸素を吸着することができなくなる。
【００４４】
銅交換したＺＳＭ−５型ゼオライトのみで構成し、空気中の窒素、酸素、水分などの全気体種を銅交換したＺＳＭ−５型ゼオライトが吸着することに差し支えはないが、一般に水分吸着材の方が銅交換したＺＳＭ−５型ゼオライトよりも安価であるために、本構成により、より低コストな圧縮収納袋を提供できるものである。
【００４５】
そこで、銅交換したＺＳＭ−５型ゼオライトと水分吸着材をともにデバイス化することにより、水分吸着材に水分を吸着させ、銅交換したＺＳＭ−５型ゼオライトの活性点をより効果的に窒素や酸素などの吸着に利用できる気体吸着デバイスを提供するものである。すなわち、以下のように容器内の銅交換したＺＳＭ−５型ゼオライトと水分吸着材の位置関係を適切化する。
【００４６】
銅交換したＺＳＭ−５型ゼオライトと水分吸着材をそれぞれ独立した空間に収容する。また、独立した空間同士は、仕切り材によって適切な通気性を確保する。さらに、気体を吸着する際、気体は、まず、水分吸着材を収容した空間を通過し、水分吸着材により含まれる水分が吸着された後、銅交換したＺＳＭ−５型ゼオライトを収容した空間に到達するように構成する。
【００４７】
この際、空間どうしの通気性が大き過ぎる場合は、水分吸着材が水分を吸着しきれず、水分を多く含む気体が銅交換したＺＳＭ−５型ゼオライトに到達する。一方、空間どうしの通気性が小さ過ぎる場合は、銅交換したＺＳＭ−５型ゼオライトに到達する気体が少なく、銅交換したＺＳＭ−５型ゼオライトの吸着性能が十分に発現できない。従って、通気性を制御可能な仕切り材の通気性を適正に制御することが重要である。
【００４８】
ここで水分吸着材とは、気体中に含まれる水分を吸着できるものであり、活性炭、シリカゲル、酸化カルシウム等があるが特に指定するものではない。
【００４９】
また、気体難透過性素材とは、ガス透過度が１０4［ｃｍ3／ｍ2・ｄａｙ・ａｔｍ］以下の素材であり、より望ましくは１０3［ｃｍ3／ｍ2・ｄａｙ・ａｔｍ］以下となるものであり、アルミラミネートフィルムからなる四方シール袋などが利用できる。
【００５０】
以上の構成により、銅交換したＺＳＭ−５型ゼオライトは、水分により劣化せず、より多くの気体を吸着することができるため、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。
【００５１】
また、請求項３に記載の圧縮収納袋の発明は、請求項２に記載の発明において、仕切りが連続多孔体であるものである。
【００５２】
銅イオン交換したＺＳＭ−５型ゼオライトを収容する空間と水分吸着材を収容する空間の仕切りの通気性が大き過ぎる場合は、水分吸着材が水分を吸着しきれず、銅イオン交換したＺＳＭ−５型ゼオライトが余剰の水分を吸着し、劣化してしまう。一方、銅イオン交換したＺＳＭ−５型ゼオライトを収容する空間と水分吸着材を収容する空間の仕切りの通気性が小さ過ぎる場合は、銅イオン交換したＺＳＭ−５型ゼオライトに到達する気体が少なく、銅イオン交換したＺＳＭ−５型ゼオライトの吸着特性を十分に発揮することができない。従って、仕切り材の通気性を適正に制御することが重要であり、この通気性は、仕切り材の気体透過度、断面積、長さに依存する。
【００５３】
気体透過度を適切に制御するには、連続多孔体構造が適しており、残存不純物ガス量や経時的に侵入する不純物ガスの速度により、適宜選択することが可能である。
【００５４】
ここで、連続多孔体とは、固体部分と空隙部分からなり、空隙が連通しているものを指す。セラミックスのように、無機物からなる粒子の集合体であっても、連通ウレタンフォームのように有機物であってもよいが、減圧下でガス発生の少ないものがより望ましい。
【００５５】
以上の構成により、銅交換したＺＳＭ−５型ゼオライトは、水分により劣化せず、より多くの気体を吸着することができるため、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。
【００５６】
また、請求項４に記載の圧縮収納袋の発明は、請求項２または請求項３に記載の発明において、銅交換したＺＳＭ−５型ゼオライトと水分吸着材が収容されている空間と、圧縮収納袋内部空間とが、外部応力により通気可能となる機構を備えたものである。
【００５７】
気体吸着活性の高い銅イオン交換したＺＳＭ−５型ゼオライトの劣化を抑制するため、気体吸着デバイス容器は、気体難透過性素材からなる必要があるが、一方で必要な時に任意に、圧縮収納袋内部空間と通気可能となる必要がある。
【００５８】
以下に、本発明おける外部応力により通気可能となる機構について、一例を示す。
【００５９】
気体吸着デバイスの気体難透過性素材からなる容器として、アルミラミネートフィルムの四方シール袋を用い、その中に銅交換したＺＳＭ−５型ゼオライトと、水分吸着材とが、通気性を制御可能な仕切りを挟んで収容されている。この気体デバイスと、突起物を有する部材（突起部材）の突起をアルミラミネートフィルム側へ向け、アルミラミネートフィルムには接触しない状態で圧縮収納袋内部に設置し、収納物を収納後、減圧圧縮する。その後、必要時に突起がアルミラミネート袋を貫通する程度の応力を外部から付与することによって、前記アルミラミネート袋に貫通孔を開け、前記アルミラミネート袋内部と前記圧縮収納袋内部を連通させるものである。
【００６０】
圧縮収納袋は、合成樹脂製であるため外部からの力により容易に変形する。このため、気体吸着デバイスの容器が外部応力によって、通気可能な構成を採用することによって、気体吸着デバイスを必要に応じて開封することが可能である。
【００６１】
従って、気体吸着デバイスの容器としてラミネートフィルムのような突き刺しなどで貫通孔を生じる部材を用い、前記容器に一定の応力を付与する突起部材とを設置し、必要に応じて圧縮収納袋の外部より、突起部材に応力を与えることで気体吸着デバイスに貫通孔が生じさせることができ、圧縮収納袋内部空間に侵入した空気成分を吸着除去することが可能となる。
【００６２】
また、この際、突起部材は、気体吸着デバイスの水分吸着材側へ貫通孔を形成するように設置することが望ましい。この構成により、空気は貫通孔を通して容器に侵入する。空気が容器に侵入すると、水分吸着材付近に所定の時間留まるため、空気に含まれる水分は水分吸着材により吸着され、水分を含まない乾燥空気のみが仕切りを通り銅イオン交換したＺＳＭ−５型ゼオライトに到達し、銅イオン交換したＺＳＭ−５型ゼオライトは効率よく窒素や酸素などを吸着することができる。
【００６３】
また、突起部材の設置は、気体吸着デバイスに接するように、接着剤や両面テープなどで貼り付けてもよく、クリップなどで留めてもよいが、特に指定するものではない。
【００６４】
銅交換したＺＳＭ−５型ゼオライトと水分吸着材が収容されている空間と、圧縮収納袋内部空間とが、外部応力により通気可能とするタイミングに関しては、経時的に空気が侵入しても即時に除去できるよう、吸入口を封鎖した直後でもよく、また、空気が侵入した後収納物が膨張し始めてからでも、どちらでもよい。
【００６５】
以上の構成により、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋内の酸素濃度を低減させることができるため、ダニなど微少生物の繁殖を抑制することも可能である。
【００６６】
また、請求項５に記載の圧縮収納袋の使用方法の発明は、収納物を開口部を通して圧縮収納袋に収納する収納ステップと、前記開口部を封鎖する開口部封鎖ステップと、空気吸引口から前記圧縮収納袋内部の空気を吸引する吸引ステップと、空気吸引口を閉じ減圧保存する吸引口封鎖ステップと、経時的に圧縮収納袋を透過して侵入した空気を請求項１から４のいずれか一項記載の気体吸着デバイスが吸着固定化し、再び減圧保存を持続させる吸着ステップとを含むものである。
【００６７】
吸着ステップを開始するための機構としては、請求項４に記載の発明の機構を用いても良く、また他の手段を用いても良い。吸着ステップを開始するタイミングに関しては、経時的に空気が侵入しても即時に除去できるよう、吸入口を封鎖した直後でもよく、また、空気が侵入した後収納物が膨張し始めてからでも、どちらでもよい。
【００６８】
本発明の圧縮収納袋の使用方法により、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋内の酸素濃度を低減させることができるため、ダニなど微少生物の繁殖を抑制することも可能である。
【００６９】
以下、本発明の実施の形態について、図面を参照しながら説明する。なお、この実施の形態によって本発明が限定されるものではない。
【００７０】
（実施の形態１）
図１は、本発明の実施の形態１における圧縮収納袋に用いた銅イオン交換したＺＳＭ−５型ゼオライトの製造方法を示すフローチャートである。
【００７１】
本実施の形態における、銅イオン交換したＺＳＭ−５型ゼオライトからなる吸着材の製造は、銅イオンを含むイオン交換溶液を用いたイオン交換工程（ＳＴＥＰ１）と、銅イオン交換したＺＳＭ−５型ゼオライトを洗浄する洗浄工程（ＳＴＥＰ２）と、乾燥工程（ＳＴＥＰ３）と、銅イオンを還元するための熱処理工程（ＳＴＥＰ４）とからなる。
【００７２】
イオン交換工程（ＳＴＥＰ１）では、銅イオンを含む溶液として、酢酸銅、プロピオン酸銅、塩化銅など、従来既存の化合物の水溶液を利用可能であるが、気体吸着量の増大と強固な吸着の実現のためには、酢酸銅が望ましい。
【００７３】
イオン交換回数や銅イオン溶液の濃度、イオン交換時間、温度などは、特に限定するものではないが、イオン交換率としては、１００％から１８０％の範囲において、優れた吸着性能を示す。より好ましくは、１１０％から１７０％の範囲である。ここで示すイオン交換率とは、２つのＮａ+あたりにＣｕ2+が交換されることを前提とした計算値であり、銅がＣｕ+として交換された場合、計算上は１００％を越えて算出される。
【００７４】
なお、洗浄工程（ＳＴＥＰ２）では、蒸留水を用いて洗浄することが望ましい。また、乾燥工程（ＳＴＥＰ３）では、１００℃未満の条件で乾燥することが望ましく、室温での減圧乾燥でも良い。
【００７５】
また、熱処理工程（ＳＴＥＰ４）では、減圧下、望ましくは１０-2Ｐａ未満の条件下で、３００℃以上８００℃以下の温度で熱処理することが望ましい。熱処理時間は、銅イオン交換したＺＳＭ−５型ゼオライトの量によるが、銅イオンを２価から１価へ還元可能な十分な時間が必要である。また、３００℃以下では、１価への還元が不十分になる恐れがあり、８００℃以上では、ゼオライトの構造が破壊される恐れがある。より好ましくは、５００℃〜６００℃程度である。
【００７６】
このようにして製造した銅イオン交換したＺＳＭ−５型ゼオライトは、使用時まで劣化することなく保管可能な気体吸着デバイス化されることにより、窒素、酸素、水分、二酸化炭素などの空気中に存在する気体に対する吸着能力を発揮し、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。
【００７７】
（実施の形態２）
図２は、本発明の実施の形態２における圧縮収納袋に用いた気体吸着デバイスの使用前の状態を示す断面図である。
【００７８】
図２に示すように、気体吸着デバイス５は、アルミラミートフィルムからなる容器６内部に、水分吸着材７と銅イオン交換したＺＳＭ−５型ゼオライト８とが封入されている。
【００７９】
また、水分吸着材７と銅イオン交換したＺＳＭ−５型ゼオライト８の間は連通ウレタンフォーム製の仕切り９で仕切られている。容器６には、銅交換したＺＳＭ−５型ゼオライト８と水分吸着材７が収容されている空間と、圧縮収納袋内部空間とが、外部応力により通気可能となる機構として、突起部材１０が両面テープにより貼付設置されている。ここで、突起部材１０の先端は鋭利になっている。銅イオン交換したＺＳＭ−５型ゼオライト８はアルミラミートフィルムからなる容器６内部に封入されているため、保存時における劣化はほとんどない。
【００８０】
図３は、本発明の実施の形態２における圧縮収納袋に用いた気体吸着デバイス５の使用時の状態を示す断面図である。図４は、本発明の実施の形態２における圧縮収納袋に用いた気体吸着デバイス５に用いた突起部材１０の側面図と上面図を示している。
【００８１】
気体吸着デバイス５の水分吸着材７側には、突起部材１０が備えてあり、突起部材１０に応力を加えた結果、容器６に貫通孔１１を形成し、容器６内部と外部空間を連通させるものである。
【００８２】
本構成により、空気は貫通孔１１を通して容器６に侵入する。空気が容器６に侵入すると、水分吸着材７付近に所定の時間留まるため、空気に含まれる水分は水分吸着材７により吸着され、水分を含まない乾燥空気のみが仕切り９を通り銅イオン交換したＺＳＭ−５型ゼオライト８に到達し、銅イオン交換したＺＳＭ−５型ゼオライト８は効率よく窒素や酸素などを吸着することができる。
【００８３】
（実施の形態３）
図５は、本発明の実施の形態３における圧縮収納袋の外観斜視図である。
【００８４】
図５に示すように、本実施の形態の圧縮収納袋１２は、合成樹脂を主素材とする圧縮収納袋１２であって、収納物の出し入れ口となる開口部１３と、吸引口１４とを備えている。吸引口１４から圧縮収納袋１２内部の空気を吸引することにより収納物を圧縮保存する圧縮収納袋１２において、圧縮収納袋１２内部と連通可能な空間内に、実施の形態２における気体吸着デバイス５（突起部材１０を含む）を備えている。
【００８５】
気体吸着デバイス５と、突起部材１０とを突起部材１０の突起物を容器６側へ向けた状態で、収納物とともに圧縮収納袋１２内に設置して、吸引口１４から掃除機などにより排気後、封鎖する。その後、必要時に突起物が容器６を貫通する程度の応力を外部から付与することによって、容器６に穴を開け、容器６内部と圧縮収納袋１２内部を連通させるものである。
【００８６】
その際、突起部材１０は、気体吸着デバイス５の水分吸着材７側へ貫通孔を形成するように設置される。この構成により、空気は貫通孔１１通して容器６に侵入する。空気が容器６に侵入すると、水分吸着材７付近に所定の時間留まるため、空気に含まれる水分は水分吸着材７により吸着され、水分を含まない乾燥空気のみが仕切り９を通り銅イオン交換したＺＳＭ−５型ゼオライト８に到達し、銅イオン交換したＺＳＭ−５型ゼオライト８は効率よく窒素や酸素などを吸着することができる。
【００８７】
（実施の形態４）
図６は、本発明の実施の形態４における圧縮収納袋の使用方法を示すフローチャートである。
【００８８】
本実施の形態における圧縮収納袋１２の使用方法は、収納物を開口部１３を通して圧縮収納袋１２に収納する収納ステップ（ＳＴＥＰ１５）と、開口部１３を封鎖する開口部封鎖ステップ（ＳＴＥＰ１６）と、空気吸引口１４から圧縮収納袋１２内部の空気を吸引する吸引ステップ（ＳＴＥＰ１７）と、空気吸引口１４を閉じ減圧保存する吸引口封鎖ステップ（ＳＴＥＰ１８）と、経時的に圧縮収納袋１２を透過して侵入した空気を実施の形態２における気体吸着デバイス５が吸着固定化し、再び減圧保存を持続させる吸着ステップ１９とを含むものである。
【００８９】
本実施の形態の圧縮収納袋の使用方法により、使用時まで劣化することなく保管可能な気体吸着デバイス５化された銅イオン交換したＺＳＭ−５型ゼオライト８が、窒素、酸素、水分、二酸化炭素などの空気中に存在する気体に対する吸着能力を発揮し、経時的に圧縮収納袋１２内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋１２内の酸素濃度を低減させることができるため、ダニなど微少生物の繁殖を抑制することも可能である。
【００９０】
また、気体吸着デバイス５が、少なくとも銅交換したＺＳＭ−５型ゼオライト８と、水分吸着材７と、銅交換したＺＳＭ−５型ゼオライト８と水分吸着材７とを封入する気体難透過性素材からなる容器６とからなり、突起部材１０で容器６に貫通孔１１ができ、容器６内に侵入した空気が、まず、水分吸着材７により水分が吸着され、水分を含まない乾燥空気のみが仕切り９を通り銅イオン交換したＺＳＭ−５型ゼオライト８に到達することにより、銅交換したＺＳＭ−５型ゼオライト８は水分により劣化せず、より多くの気体を吸着することができるため、収納物の膨張を長期にわたって抑制することが可能である。
【００９１】
以上のように、本実施の形態では、圧縮収納袋１２を安定的に長期にわたって、膨張することなく利用することが可能である。
【実施例】
【００９２】
（実施例１）
圧縮収納袋１２は、合成樹脂であるナイロンとポリエチレンとのラミネート材を用い、収納物の出し入れ口となる開口部１３と、空気吸引口１４とは、凸型と凹型を組み合わせて封鎖するファスナーを用いた。
【００９３】
気体吸着デバイス５は、銅交換したＺＳＭ−５型ゼオライト１００ｇをアルミラミネートフィルムの四方シール袋（気体難透過性素材からなる容器６）に不活性ガス中で充填し、減圧封止したものを用いた。
【００９４】
この気体吸着デバイス５と、突起をアルミラミネートフィルム側へ向けた突起部材１０を圧縮収納袋１２内部に設置し、収納物を収納後、減圧圧縮した後、突起がアルミラミネート袋を貫通する程度の応力を外部から付与することによって、アルミラミネート袋に貫通孔１１を開け、アルミラミネート袋内部と圧縮収納袋１２内部を連通させた。
【００９５】
３ヶ月経過後も、圧縮収納袋１２は膨張することなく、最大厚部分での厚さ変化量は０％であり、圧縮状態を保持していた。
【００９６】
これは、銅イオン交換したＺＳＭ−５型ゼオライト８が、使用時まで劣化することなく保管可能な気体吸着デバイス５化されることにより、窒素、酸素、水分、二酸化炭素などの空気中に存在する気体に対する吸着能力を発揮し、経時的に圧縮収納袋１２内部へ侵入する空気を吸着除去し、減圧状態に保つことが可能であったためである。
【００９７】
（実施例２）
圧縮収納袋１２は、合成樹脂であるナイロンとポリエチレンとのラミネート材を用い、収納物の出し入れ口となる開口部１３と、空気吸引口１４とは、凸型と凹型を組み合わせて封鎖するファスナーを用いた。
【００９８】
気体吸着デバイス５は、気体難透過性素材からなる容器６として、アルミラミネートフィルムの四方シール袋を用い、不活性ガス中において、銅交換したＺＳＭ−５型ゼオライト５０ｇと水分吸着材７として酸化カルシウム５０ｇとを、通気性を制御可能な連続田交代であるグラスウール集合体の仕切り９で仕切るように充填し、減圧封止したものを用いた。
【００９９】
この気体吸着デバイス５と、突起をアルミラミネートフィルム側へ向けた突起部材１０を圧縮収納袋１２内部に設置し、収納物を収納後、減圧圧縮した後、突起がアルミラミネート袋を貫通する程度の応力を外部から付与することによって、アルミラミネート袋に貫通孔１１を開け、アルミラミネート袋内部と圧縮収納袋１２内部を連通させた。
【０１００】
３ヶ月経過後も、圧縮収納袋１２は膨張することなく、最大厚部分での厚さ変化量は０％であり、圧縮状態を保持していた。
【０１０１】
これは、銅イオン交換したＺＳＭ−５型ゼオライト８が、使用時まで劣化することなく保管可能な気体吸着デバイス５化されることにより、窒素、酸素、水分、二酸化炭素などの空気中に存在する気体に対する吸着能力を発揮し、経時的に圧縮収納袋１２内部へ侵入する空気を吸着除去し、減圧状態に保つことが可能であったためである。
【０１０２】
また、実施例１に比較し、銅交換したＺＳＭ−５型ゼオライト８が半減しているが、同等の効果が確認できた。酸化カルシウムは、銅交換したＺＳＭ−５型ゼオライト８より安価であるため、低コストで製造することが可能であった。これは、水分吸着材７と適切な仕切り９とを用いた構成にしたため、銅交換したＺＳＭ−５型ゼオライト８は水分により劣化せず、より多くの気体を吸着することができたため、収納物の膨張を長期にわたって抑制することが可能となったためである。
【０１０３】
次に本発明の圧縮収納袋に対する比較例を示す。
【０１０４】
（比較例１）
既存文献にて公開されている、開口部のファスナー部材を２列状態に設けた同様の収納袋に収納物を収納後、減圧圧縮した。３ヶ月経過後には、目視でも圧縮状態が悪化しており、最大厚部分での厚さ変化量は１５０％であった。
【産業上の利用可能性】
【０１０５】
本発明は、経時的に圧縮収納袋内部へ侵入する空気を吸着除去し、減圧状態に保つことが可能であり、侵入空気に起因する収納物の膨張を抑制しふとんや衣類のようなかさばる収納物を長期間にわたって低体積で収納することが可能となる。かつ、圧縮収納袋内の酸素濃度を低減させることができるため、ダニなど微少生物の繁殖を抑制することも可能である。そのため、ふとんや衣類のようなかさばる収納物を長期間にわたって低体積で収納する用途に適している。また、本発明で用いた気体吸着デバイスは、圧縮収納袋をはじめ、空気を吸着除去したい用途や、低酸素による害虫駆除などに利用可能である。
【図面の簡単な説明】
【０１０６】
【図１】本発明の実施の形態１における圧縮収納袋に用いた銅イオン交換したＺＳＭ−５型ゼオライトの製造方法を示すフローチャート
【図２】本発明の実施の形態２における圧縮収納袋に用いた気体吸着デバイスの使用前の状態を示す断面図
【図３】同実施の形態における圧縮収納袋に用いた気体吸着デバイスの使用時の状態を示す断面図
【図４】（ａ）同実施の形態における圧縮収納袋に用いた気体吸着デバイスに用いた突起部材の側面図（ｂ）同突起部材の上面図
【図５】本発明の実施の形態３における圧縮収納袋の外観斜視図
【図６】本発明の実施の形態４における圧縮収納袋の使用方法を示すフローチャート
【符号の説明】
【０１０７】
５  気体吸着デバイス
６  容器
７  水分吸着材
８  銅イオン交換したＺＳＭ−５型ゼオライト
９  仕切り
１０  突起部材
１１  貫通孔
１２  圧縮収納袋
１３  開口部
１４  吸引口
【図１】
2010095279.tif 000003
【図２】
2010095279.tif 000004
【図３】
2010095279.tif 000005
【図４】
2010095279.tif 000006
【図５】
2010095279.tif 000007
【図６】
2010095279.tif 000008